(57)【要約】【課題】  閉止時には透明扉が開口部の框部周囲に設けたパッキンに圧接して気密状態に保つことが可能な展示ケースにおいて、開口部の外側上部位置に余裕空間が存在しない場合でも、透明扉を前後移動させて開閉できる展示ケースの両開き扉開閉装置を提供する。【解決手段】  開口部３の下方位置に複数の第１摺動支持手段１３にて前後移動可能に支持された水平な支持部材１４を備え、支持部材の前面に複数の転動コロ１５を列設し、透明扉２の下縁に沿って設けたガイド溝１７内に転動コロを転動可能に係合し、開口部の上方位置に複数の第２摺動支持手段１８にて前後移動可能に支持された水平なガイド部材１９を備え、ガイド部材の前端に設けた下方開放のガイドレール２０に透明扉の上縁部を遊挿し、第１摺動支持手段より第２摺動支持手段のストローク長を短く設定し、透明扉を開閉する際に傾斜状態で行う。【選択図】        図５
2010246771.tif 000002
【特許請求の範囲】
【請求項１】
展示ケース本体の開口部に配置する１枚の透明扉を左右何れの側にもスライド開閉可能であるとともに、閉止時には透明扉が開口部の框部周囲に設けたパッキンに圧接して展示空間を気密状態に保つことが可能な展示ケースの両開き扉開閉装置において、下部においては、前記開口部の下方位置に、展示ケース本体のフレームに装着した複数の第１摺動支持手段にて前後移動可能に支持された水平な支持部材を備え、該支持部材の前面に複数の転動コロを列設し、前記透明扉の下縁に沿って設けた縁部材の裏面側に形成した断面略Ｃ字形のガイド溝内に前記転動コロを転動可能に係合し、上部においては、前記開口部の上方位置に、展示ケース本体のフレームに装着した複数の第２摺動支持手段にて前後移動可能に支持された水平なガイド部材を備え、該ガイド部材の前端に設けた下方開放のガイドレールに前記透明扉の上縁部を遊挿し、前記第１摺動支持手段より第２摺動支持手段のストローク長を短く設定し、前記透明扉を開閉する際に傾斜状態で行うことを特徴とする展示ケースの両開き扉開閉装置。
【請求項２】
前記第１摺動支持手段と第２摺動支持手段は、前記展示ケース本体のフレームに固定するリニアブッシュと、該リニアブッシュに前後摺動可能に貫通したシャフトとからなり、該シャフトの前端に前記支持部材又はガイド部材を固定するとともに、後端にストッパーを固定してなる請求項１記載の展示ケースの両開き扉開閉装置。
【請求項３】
前記支持部材及びガイド部材が後側移動終端に位置し、前記開口部の框部周囲に設けたパッキンに透明扉が圧接した状態で、前記フレームの上下部に取付けた回転施錠具の施錠片でそれぞれ前記支持部材とガイド部材の適所に係合して前方移動を規制するとともに、前記支持部材及びガイド部材が前側移動終端に位置し、前記透明扉が傾斜した状態で、前記回転施錠具の施錠片でそれぞれ前記支持部材とガイド部材の適所に係合して後前方移動を規制する請求項１又は２記載の展示ケースを両開き扉開閉装置。
【請求項４】
前記ガイド部材のガイドレールの内側壁に摺動シートを添設してなる請求項１〜３何れかに記載の展示ケースの両開き扉開閉装置。
【発明の詳細な説明】
【技術分野】
【０００１】
本発明は、展示ケースの両開き扉開閉装置に係わり、更に詳しくは美術館、博物館、店舗等に設置し、透明扉が閉止時に気密状態を保つ構造の展示ケースにおいて、透明扉を左右何れの側にも開閉することが可能な両開き扉開閉装置に関するものである。
【背景技術】
【０００２】
従来から、美術館、博物館、店舗等に設置する展示ケースにおいて、展示ケース本体の開口部に配置する１枚の透明扉を左右何れの側にもスライド開閉可能であるとともに、閉止時には透明扉が開口部の框部周囲に設けたパッキンに圧接して展示空間を気密状態に保つことが可能な展示ケースの両開き扉開閉装置は提供されている。
【０００３】
例えば、特許文献１には、展示ケース本体の開口部の外側の上下空間部に、横方向に延びた案内支持手段を、展示ケース本体に対して前後移動可能となるように複数の奥行方向の摺動軸にて支持するとともに、該案内支持手段の前面側に沿って奥行方向の回転軸にて回転可能に複数の垂直転動コロを列設し、一方、前記開口部を塞ぐ透明扉の裏面上下縁に沿ってガイド溝を備えた縁部材を固定し、上下のガイド溝にそれぞれ上下の案内支持手段に突設した垂直転動コロを転動可能に係合した構造の扉開放装置が開示されている。つまり、前記透明扉を閉止状態から開放するには、上下の前記案内支持手段を前方へ移動させた後、前記ガイド溝内で垂直転動コロが転動することで前記透明扉が左右に開閉するのである。
【０００４】
しかし、特許文献１に記載の扉開閉装置は、上下の案内支持手段がそれぞれ同一のストロークを有する摺動軸で支持しているので、前記透明扉が展示ケース本体の開口部に対して平行移動する機構であり、原則的には好ましいと言えるが、上下の案内機構が共通部材を用いて構成されているので、開口部の外側上下位置の何れかに長ストロークの摺動軸を設けることができないような空間的制約があると、前述の扉開閉装置を設けることができなくなる。
【先行技術文献】
【特許文献】
【０００５】
【特許文献１】特許第４０８８４６１号公報
【発明の概要】
【発明が解決しようとする課題】
【０００６】
そこで、本発明が前述の状況に鑑み、解決しようとするところは、美術館、博物館、店舗等に設置し、展示ケース本体の開口部に配置する１枚の透明扉を左右何れの側にもスライド開閉可能であるとともに、閉止時には透明扉が開口部の框部周囲に設けたパッキンに圧接して展示空間を気密状態に保つことが可能な展示ケースにおいて、開口部の外側上部位置に余裕空間が存在しない場合でも、透明扉を前後移動させて開閉することが可能な展示ケースの両開き扉開閉装置を提供する点にある。
【課題を解決するための手段】
【０００７】
本発明は、前述の課題解決のために、展示ケース本体の開口部に配置する１枚の透明扉を左右何れの側にもスライド開閉可能であるとともに、閉止時には透明扉が開口部の框部周囲に設けたパッキンに圧接して展示空間を気密状態に保つことが可能な展示ケースの両開き扉開閉装置において、下部においては、前記開口部の下方位置に、展示ケース本体のフレームに装着した複数の第１摺動支持手段にて前後移動可能に支持された水平な支持部材を備え、該支持部材の前面に複数の転動コロを列設し、前記透明扉の下縁に沿って設けた縁部材の裏面側に形成した断面略Ｃ字形のガイド溝内に前記転動コロを転動可能に係合し、上部においては、前記開口部の上方位置に、展示ケース本体のフレームに装着した複数の第２摺動支持手段にて前後移動可能に支持された水平なガイド部材を備え、該ガイド部材の前端に設けた下方開放のガイドレールに前記透明扉の上縁部を遊挿し、前記第１摺動支持手段より第２摺動支持手段のストローク長を短く設定し、前記透明扉を開閉する際に傾斜状態で行うことを特徴とする展示ケースの両開き扉開閉装置を構成した（請求項１）。
【０００８】
ここで、前記第１摺動支持手段と第２摺動支持手段は、前記展示ケース本体のフレームに固定するリニアブッシュと、該リニアブッシュに前後摺動可能に貫通したシャフトとからなり、該シャフトの前端に前記支持部材又はガイド部材を固定するとともに、後端にストッパーを固定してなることが好ましい（請求項２）。
【０００９】
更に、前記支持部材及びガイド部材が後側移動終端に位置し、前記開口部の框部周囲に設けたパッキンに透明扉が圧接した状態で、前記フレームの上下部に取付けた回転施錠具の施錠片でそれぞれ前記支持部材とガイド部材の適所に係合して前方移動を規制するとともに、前記支持部材及びガイド部材が前側移動終端に位置し、前記透明扉が傾斜した状態で、前記回転施錠具の施錠片でそれぞれ前記支持部材とガイド部材の適所に係合して後前方移動を規制することがより好ましい（請求項３）。
【００１０】
また、前記ガイド部材のガイドレールの内側壁に摺動シートを添設してなることも好ましい（請求項４）。
【発明の効果】
【００１１】
以上にしてなる請求項１に係る発明の展示ケースの両開き扉開閉装置は、展示ケース本体の開口部の外側上部位置に余裕空間が存在しない場合でも、上部のガイド部材の前端に設けた下方開放のガイドレールに前記透明扉の上縁部を遊挿するとともに、下部の支持部材を前後移動案内する第１摺動支持手段より、上部のガイド部材を前後移動案内する第２摺動支持手段のストローク長を短く設定したことにより、開口部の外側上部位置に開閉機構を組み込むことができるようになり、そして開口部に配置する１枚の前記透明扉を傾斜状態で前方へ移動させて、該開口部の框部周囲に設けたパッキンから当該透明扉を離し、それにより左右何れの側にもスライド開閉することができる。更に、上部の第２摺動支持手段は、前記透明扉の上端部がパッキンから離れる程度のストローク長で良いので、狭い空間にも組み込むことができる。また、透明扉の閉止時には該透明扉が開口部の框部周囲に設けたパッキンに圧接して展示空間を気密状態に保つことができる。特に、美術館、博物館、店舗等に設置し、周囲と上面がガラス板で構成され、左右に障害物が存在しない島置きタイプの展示ケースに適用すれば、開口部の外側上部位置に余裕空間が存在しないので効果が大である。
【００１２】
請求項２によれば、前記第１摺動支持手段と第２摺動支持手段は、前記展示ケース本体のフレームに固定するリニアブッシュと、該リニアブッシュに前後摺動可能に貫通したシャフトとからなり、該シャフトの前端に前記支持部材又はガイド部材を固定するとともに、後端にストッパーを固定してなるので、簡単な構成で透明扉を支持する下部の支持部材と上部のガイド部材を安定且つスムーズに前後移動可能に保持することができ、ストローク長も確実に規定できるので、動作に対して信頼性が高くなる。
【００１３】
請求項３によれば、前記支持部材及びガイド部材が後側移動終端に位置し、前記開口部の框部周囲に設けたパッキンに透明扉が圧接した状態で、前記フレームの上下部に取付けた回転施錠具の施錠片でそれぞれ前記支持部材とガイド部材の適所に係合して前方移動を規制するとともに、前記支持部材及びガイド部材が前側移動終端に位置し、前記透明扉が傾斜した状態で、前記回転施錠具の施錠片でそれぞれ前記支持部材とガイド部材の適所に係合して後前方移動を規制するので、透明扉の閉止時にパッキンに圧接した状態を確実に維持することができるとともに、透明扉を左右へスライド移動時に傾斜した状態を確実に維持することができる。
【００１４】
請求項４によれば、前記ガイド部材のガイドレールの内側壁に摺動シートを添設してなるので、ガイドレールに遊挿した透明扉の上端部が、該ガイドレールに沿ってスライド移動時に摺動シートに接触するので、移動動作がスムーズになるとともに、ガイドレール内で透明扉の上端部が前後に振れて摺動シートに衝突しても破損することを防止できるのである。
【図面の簡単な説明】
【００１５】
【図１】本発明に係る両開き扉開閉装置を適用した展示ケースの全体正面図である。
【図２】同じく縦断側面図である。
【図３】透明扉の下部案内構造示す閉止状態の部分拡大縦側面図である。
【図４】透明扉の下部案内構造示す開閉操作状態の部分拡大縦側面図である。
【図５】透明扉の上部案内構造示す閉止状態の部分拡大縦側面図である。
【図６】透明扉の上部案内構造示す開閉操作状態の部分拡大縦側面図である。
【図７】透明扉の上部案内構造示す閉止状態の部分拡大縦側面図である。
【発明を実施するための形態】
【００１６】
次に、添付図面に示した実施形態に基づき、本発明を更に詳細に説明する。図１及び図２は本発明に係る展示ケースの両開き扉開閉装置を適用した実施形態を示し、図３及び図４は両開き扉開閉装置の下部構造、図５〜図７は両開き扉開閉装置の上部構造を示し、図中符号１は展示ケース本体、２は透明扉、３は開口部、４は下部案内構造、５は上部案内構造をそれぞれ示している。
【００１７】
前記展示ケース本体１は、図１及び図２に示すように、ベース部６の上方に一体となしてフレーム７を立設し、底面を除きガラス板等の透明な側面板８，８と背面板９及び上面板１０で周囲が囲まれた前面に開口部３を備えた箱形であり、更に上面板１０の上位に照明装置１１を付設し、上面板１０を通して展示空間１２を照明するようになっている。本実施形態の展示ケース本体１は、左右に障害物が存在しない島置きタイプであり、周囲の何れの側からも展示空間１２内の展示物を鑑賞できるようになっている。
【００１８】
また、本発明の展示ケースは、展示ケース本体１の開口部３に配置する１枚の透明扉２を左右何れの側にもスライド開閉可能であるとともに、閉止時には透明扉２が開口部３の框部周囲に設けたパッキン１３Ａに圧接して展示空間１２を気密状態に保つことが可能な構造である。そして、前記開口部３の外側上下部において、前記透明扉２を下部案内構造４で支持するとともに、上部案内構造５で支持し、開放操作時には前記透明扉２を前方へ移動させて傾斜状態に維持し、前記パッキン１３Ａから離れた状態で左右にスライド案内するようになっている。
【００１９】
更に詳しくは、本発明に係る両開き扉開閉装置は、図３〜図７に示すように、下部案内構造４においては、前記開口部３の下方位置に、展示ケース本体１のフレーム７に装着した複数の第１摺動支持手段１３にて前後移動可能に支持された水平な支持部材１４を備え、該支持部材１４の前面に複数の転動コロ１５を列設し、前記透明扉２の下縁に沿って設けた縁部材１６の裏面側に形成した断面略Ｃ字形のガイド溝１７内に前記転動コロ１５を転動可能に係合し、上部案内構造５においては、前記開口部３の上方位置に、展示ケース本体１のフレーム７に装着した複数の第２摺動支持手段１８にて前後移動可能に支持された水平なガイド部材１９を備え、該ガイド部材１９の前端に設けた下方開放のガイドレール２０に前記透明扉２の上縁部を遊挿し、前記第１摺動支持手段１３より第２摺動支持手段１８のストローク長を短く設定し、前記透明扉２を開閉する際に傾斜状態で行うように構成している。
【００２０】
ここで、前記第１摺動支持手段１３は、前記展示ケース本体１のフレーム７に固定するリニアブッシュ２１と、該リニアブッシュ２１に前後摺動可能に貫通したシャフト２２とからなり、該シャフト２２の前端に前記支持部材１４を固定するとともに、後端にストッパー２３を固定している。同様に、前記第２摺動支持手段１８は、前記展示ケース本体１のフレーム７に固定するリニアブッシュ２４と、該リニアブッシュ２４に前後摺動可能に貫通したシャフト２５とからなり、該シャフト２５の前端に前記ガイド部材１９を固定するとともに、後端にストッパー２６を固定している。
【００２１】
具体的には、図３に示すように、前記ベース部６の前横補強材２７に前記リニアブッシュ２１が固定されている。前記前横補強材２７は、スチール板を断面略コ字形に折曲した形成した部材であり、前方へ開放状態で設け、上方へ支柱２８を立設して前記フレーム７を構成している。前記前横補強材２７の立壁２９には、開口３０を形成し、該開口３０に前方からリニアブッシュ２１の本体を挿入し、リニアブッシュ２１のフランジ部３１を立壁２９にネジ止めしている。そして、前記前横補強材２７の内部位置に、断面四角形の前記支持部材１４を配設し、前記リニアブッシュ２１を貫通させたシャフト２２の先端に固定している。尚、前記第１摺動支持手段１３は、開口部３の間口幅に応じて複数設けている。また、前記支持部材１４の前面には、水平な奥行方向を向いた支軸を有する転動コロ１５を突設し、該転動コロ１５の個数も開口部３の間口幅に応じて決定されるが、最低でも両側部と中央部で３個は必要である。本実施形態では、前記透明扉２は厚さが１０ｍｍの飛散防止シールを貼ったガラス板であり、重量が重いので３個より多く列設している。
【００２２】
前記縁部材１６は、アルミ押出し型材で構成し、下部に透明扉２の下縁を受ける受片３２を突設し、背面側には断面略Ｃ字形のガイド溝１７を形成している。そして、前記透明扉２の下部に両面粘着テープによって貼着しているが、固定手段は任意である。更に、前記前横補強材２７の上端部の前方へ張り出した下框部３３には、パッキン１３Ａを添設している。また、前記支持部材１４の下端には、水平に当止板３４を固定し、前記ベース部６の内部下方のベース杆３５の上面に回転施錠具３６を取付け、該回転施錠具３６の施錠杆３７が前記当止板３４の前縁又は後縁を当止するようになっている。つまり、図３に示すように、前記透明扉２を閉じて前記パッキン１３Ａを背面に圧接している状態で、前記当止板３４の前縁を回転施錠具３６の施錠杆３７で当止してその状態を維持し、また図４に示すように、前記第１摺動支持手段１３，…で案内されて前側移動終端まで移動したときに、前記当止板３４の後縁を回転施錠具３６の施錠杆３７で当止してその状態を維持するようになっている。勿論、前記支持部材１４の前方移動は、前記ストッパー２３がリニアブッシュ２１の後端に当接することにより規制される。
【００２３】
また、前記ベース部６の前部には、下端を水平な回動軸３８で支持され、前後に回動する下カバー３９が設けられ、該下カバー３９の上端に後方へ屈曲して延びた当止部４０を形成し、該下カバー３９を閉じた際に前記当止部４０の先端の緩衝部材４１が前記透明扉２の下部前面を当止するようになっている。ここで、前記下カバー３９を閉じた際に、該下カバー３９に設けた回転施錠具４２の施錠杆４３がベース部６の下部に設けた係止板４４に係止し、下カバー３９を閉じた状態を維持するようになっている。本実施形態では、前記下框部３３のパッキン１３Ａと緩衝部材４１の高さを略一致させ、前記透明扉２を前後から挟んで保持する。また、前記ベース部６のベース杆３５には、キャスター４９やアジャスター５０を設けている。
【００２４】
次に、図５〜図７に基づいて、上部案内構造５を具体的に説明する。前記フレーム７を構成する支柱２８の上端には、水平杆５１が固定され、該水平杆５１の上面に緩衝材を介してガラス板からなる上面板１０が載置されている。そして、前記上面板１０に設けた開口５２を通して前記水平杆５１の上に前記照明装置１１のボックス体５３を構成する上部フレーム５４の前水平杆５５が連結されている。前記前水平杆５５は、スチール製の断面四角形の管体であり、その前面側には前記ボックス体５３を構成する化粧板５６の下部を固定し、前記前水平杆５５の前面と化粧板５６を貫通する開口５７を形成し、該開口５７に前記リニアブッシュ２４の本体を前方から挿入し、該リニアブッシュ２４のフランジ部５８を前水平杆５５にネジ止めしている。更に、前記前水平杆５５の後面に形成した開口５９から前記リニアブッシュ２４を貫通させてシャフト２５を配設し、該シャフト２５の前端に前記ガイド部材１９を固定するとともに、後端にストッパー２６を取付けている。
【００２５】
前記ガイド部材１９は、スチール板を折曲形成した表部材６０と裏部材６１を溶接して接合した部材である。前記表部材６０は、前記シャフト２５の前端に固定する垂直板６２と該垂直板６２の下縁から前方へ直角に延びた水平板６３と、該水平板６３の前端縁から下方へ直角に延びた前側壁６４を形成し、更に前記垂直板６２の上端縁から後方へ直角に延びた補強板６５を形成した形状である。また、前記裏部材６１は、前記上面板１０に平行な基板６６の前端縁に上方へ直角に後側壁６７を形成し、該後側壁６７の上端縁から前方へ直角に固定板６８を形成し、更に前記基板６６の後端縁から上方へ直角に係止板６９を形成した形状である。そして、前記表部材６０の水平板６３の先端部下面に前記裏部材６１の固定板６８を面接合し、互いにスポット溶接して一体化し、前記前側壁６４、後側壁６７及び固定板６８とで下方開放した断面略コ字形の前記ガイドレール２０を形成している。
【００２６】
そして、前記前水平杆５５の前面位置で、前記化粧板５６の前面側に回転施錠具７０を取付け、前記透明扉２の背面が前記パッキン１３Ａに圧接した閉止状態で、該回転施錠具７０の施錠杆７１で前記係止板６９の前側を当止し、その状態を維持し（図５及び図７参照）、また前記第２摺動支持手段１８，…で案内されてガイド部材１９が前側移動終端まで移動した際に、前記回転施錠具７０の施錠杆７１で前記係止板６９の後側を当止し、その状態を維持するようになっている（図６参照）。勿論、前記ガイド部材１９の前方移動は、前記ストッパー２６が前記前水平杆５５の後面に当接することにより規制される。ここで、前記上面板１０の前端の上框部７２に前記パッキン１３Ａが添設されている。また、前記ガイド部材１９のガイドレール２０の内側壁、つまり前記前側壁６４と後側壁６７に摺動シート７３，７３を添設し、前記透明扉２の上端部をスムーズに摺動案内できるようにしている。また、前記ガイド部材１９の基板６６と前記上面板１０との間にも摺動シート７４を添設している。
【００２７】
前記第２摺動支持手段１８を構成するリニアブッシュ２４とシャフト２５は、前記上部フレーム５４の内部に略納まり、またフレーム７の支柱２８の奥行幅と略同じ奥行寸法であるので、上部に余裕空間が存在しない場合でも、第２摺動支持手段１８を狭い空間に設けることができる。また、前記回転施錠具７０の前記ガイド部材１９の背後と上部フレーム５４との間の空間に内蔵できるので、外部から全く見えないのである。前記リニアブッシュ２４とシャフト２５による摺動案内のストローク長は、前記透明扉２がパッキン１３Ａから離れる程度で良いので、可及的に短くすることが可能である。
【００２８】
このように、前記透明扉２を閉止した場合には、前記支持部材１４及びガイド部材１９が後側移動終端に位置し、前記開口部３の框部周囲に設けたパッキン１３Ａに透明扉２が圧接した状態で、前記フレーム７の上下部に取付けた回転施錠具３６，７０の施錠片３７，７１でそれぞれ前記支持部材１４とガイド部材１９の適所に係合して前方移動を規制することができ、透明扉２の閉止状態を確実に維持することができる。一方、前記透明扉２を開放する際には、該透明扉２の前面に吸着ハンドル（図示せず）を吸着させて手前に引くと、前記第１摺動支持手段１３と第２摺動支持手段１８で案内されて前記支持部材１４及びガイド部材１９が前側移動終端に位置し、前記透明扉２が傾斜した状態で、前記回転施錠具３６，７０の施錠片３７，７１でそれぞれ前記支持部材１４とガイド部材１９の適所に係合して後前方移動を規制し、その傾斜状体を維持できるのである。その状態で、吸着ハンドルを持って左右何れかの側に引くと、前記転動コロ１５，…に対して透明扉２の下縁のガイド溝１７が移動するとともに、前記ガイド部材１９のガイドレール２０で透明扉２の上端部がスライド案内される。図１には、前記透明扉２を左右に最大開放した位置を想像線で示しているが、前記透明扉２の支持強度と展示ケース本体１との重量バランスを考慮して開口部３を開放できる割合（開口率）を６０％に制限している。
【符号の説明】
【００２９】
１  展示ケース本体、      ２  透明扉、
３  開口部、              ４  下部案内構造、
５  上部案内構造、        ６  ベース部、
７  フレーム、            ８  側面板、
９  背面板、              １０  上面板、
１１  照明装置、          １２  展示空間、
１３Ａ  パッキン、        １３  第１摺動支持手段、
１４  支持部材、          １５  転動コロ、
１６  縁部材、            １７  ガイド溝、
１８  第２摺動支持手段、  １９  ガイド部材、
２０  ガイドレール、      ２１  リニアブッシュ、
２２  シャフト、          ２３  ストッパー、
２４  リニアブッシュ、    ２５  シャフト、
２６  ストッパー、        ２７  前横補強材、
２８  支柱、              ２９  立壁、
３０  開口、              ３１  フランジ部、
３２  受片、              ３３  下框部、
３４  当止板、            ３５  ベース杆、
３６  回転施錠具、        ３７  施錠杆、
３８  回動軸、            ３９  下カバー、
４０  当止部、            ４１  緩衝部材、
４２  回転施錠具、        ４３  施錠杆、
４４  係止板、            ４９  キャスター、
５０  アジャスター、      ５１  水平杆、
５２  開口、              ５３  ボックス体、
５４  上部フレーム、      ５５  前水平杆、
５６  化粧板、            ５７  開口、
５８  フランジ部、        ５９  開口、
６０  表部材、            ６１  裏部材、
６２  垂直板、            ６３  水平板、
６４  前側壁、            ６５  補強板、
６６  基板、              ６７  後側壁、
６８  固定板、            ６９  係止板、
７０  回転施錠具、        ７１  施錠杆、
７２  上框部、            ７３  摺動シート、
７４  摺動シート。
【図１】
2010246771.tif 000003
【図２】
2010246771.tif 000004
【図３】
2010246771.tif 000005
【図４】
2010246771.tif 000006
【図５】
2010246771.tif 000007
【図６】
2010246771.tif 000008
【図７】
2010246771.tif 000009